【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
物体側より順に、正の第１群と、負の第２群と、正の第３群と、正の第４群とよりなり、各群間の間隔を変化させて変倍を行なうレンズ系で、第２群が独立した複数枚の単レンズのみからなり、第４群が正の単レンズからなる前群と最も物体側に正レンズを配置した後群とにて構成されたズームレンズ。
【請求項２】
物体側より順に、正の第１群と、負の第２群と、正の第３群と、正の第４群とよりなり、各群の群間隔を変化させることにより変倍を行なうレンズ系で、第３群が物体側より順に、正の単レンズと正の単レンズと負の単レンズとよりなり、第４群が正の単レンズからなる前群と最も物体側に正レンズを配置した後群とよりなることを特徴とするズームレンズ。
【請求項３】
物体側から順に、正の第１群と、負の第２群と、正の第３群と、正の第４群とよりなり、各群の群間隔を変化させることにより変倍を行なうレンズ系で、第４群が正の単レンズからなる前群と最も物体側に正レンズを配置した後群とにて構成され、下記条件（１）を満足することを特徴とするズームレンズ。
（１）    ０．４＜ｄ／ｆW＜１．５
ただし、ｄは前群と後群の間隔、ｆWは広角端における全系の焦点距離である。
【請求項４】
物体側より順に、正の第１群と、負の第２群と、正の第３群と、正の第４群とよりなり、各群間の間隔を変化させることにより変倍を行なうレンズ系で、第４群が正の単レンズからなる前群と、最も物体側に正レンズを配置した後群とにて構成され、下記条件（２）を満足することを特徴とするズームレンズ。
（２）    ２．５＜ｆ1／ｆW ＜５．５
ただし、ｆ1は第１群の焦点距離、ｆWは広角端における全系の焦点距離である。
【請求項５】
下記条件（２）を満足することを特徴とする請求項３のズームレンズ。
（２）    ２．５＜ｆ1／ｆW＜５．５
ただし、ｆ1は第１群の焦点距離である。
【請求項６】
物体側より順に、正の第１群と負の第２群と正の第３群と正の第４群とよりなり、各群間の間隔を変化させて変倍を行なうレンズ系で、第４群が正の単レンズよりなる前群と最も物体側に正レンズを有する後群とよりなり、下記条件（３）を満足することを特徴とするズームレンズ。
（３）    ０．１５＜ｆ4／ｆT＜０．５５
ただし、ｆ4は第４群の焦点距離、ｆTは望遠端における全系の焦点距離である。
【請求項７】
物体側から順に、正の第１群と、負の第２群と、正の第３群と、正の第４群とよりなり、各群間の間隔を変化させることにより変倍を行なうレンズ系で、第２群が独立した複数枚の単レンズのみからなり、第４群が正の単レンズのみからなる前群と正の単レンズまたは接合レンズと負の単レンズからなる後群とにて構成されたズームレンズ。
【請求項８】
前記第２群が物体側より負の単レンズ、負の単レンズ、正の単レンズ、負の単レンズにて構成され、第４群の後群が、物体側より前記正の単レンズと１枚又は２枚の負の単レンズからなる構成であることを特徴とする請求項１、２、３、４、５、６、又は７のズームレンズ。
【請求項９】
下記の条件（３）を満足することを特徴とする請求項１、２、３、４、５又は７のズームレンズ。
（３）    ０．１５＜ｆ4 ／ｆT ＜０．５５
ただし、ｆ4は第４群の焦点距離、ｆTは望遠端における全系の焦点距離である。
【請求項１０】
前記第４群の後群が前記正のレンズと負のレンズの２枚のレンズにて構成されていることを特徴とする請求項１、２、３、４、５、６、７、８又は９のズームレンズ。
【請求項１１】
前記第４群の前群が前記正のレンズよりなり、第４群の後群が正のレンズと負のレンズと負のレンズとにて構成されていることを特徴とする請求項１、２、３、４、５、６、７、８又は９のズームレンズ。
【請求項１２】
下記条件（１−１）を満足することを特徴とする請求項１、２、３、４、５、６、７、８、９、１０又は１１のズームレンズ。
（１−１）    ０．７＜ｄ／ｆW ＜１．２
ただし、ｄは前群と後群の間隔、ｆWは広角端における全系の焦点距離である。
【請求項１３】
前記第４群の後群の正のレンズが単レンズであることを特徴とする請求項１、２、３、４、５、６、７、８、９、１０、１１又は１２のズームレンズ。
【請求項１４】
前記第４群の後群の正のレンズが接合レンズに含まれていることを特徴とする請求項１、２、３、４、５、６、７、８、９、１０、１１又は１２ズームレンズ。
【請求項１５】
前記ズームレンズに含まれるすべてのレンズが球面レンズであることを特徴とする請求項７のズームレンズ。
【請求項１６】
広角端から望遠端への変倍に際し、第１群、第２群、第３群、第４群を夫々物体側に移動させ、広角端での画角が５５°以上でかつ変倍比が４．５以上であることを特徴とする請求項１、２、３、４、５、６、７、８、９、１０、１１、１２、１３、１４又は１５のズームレンズ。
【請求項１７】
広角端から望遠端への変倍に際し、第１群と第２群の間隔を広げ、第２群と第３群との間隔を狭め、第３群と第４群との間隔を狭めるように各群を移動させ、広角端での画角が５５°以上でかつ変倍比が５以上であることを特徴とする請求項１、２、３、４、５、６、７、８、９、１０、１１、１２、１３、１４又は１５のズームレンズ。
【請求項１８】
広角端から望遠端への変倍に際し、広角端に対して望遠端の方が、第１群と第２群の間隔が大で、第２群と第３群の間隔が小で、第３群と第４群の間隔が小で、第４群と像面の間隔が大であり、広角端の画角が５５°以上でかつ変倍比が６以上であることを特徴とする請求項１、２、３、４、５、６、７、８、９、１０、１１、１２、１３、１４又は１５のズームレンズ。
【請求項１９】
広角端に対して望遠端が第１群と第２群の間隔が大で、第２群と第３群の群間隔が小で、第３群と第４群の群間隔が小で、第４群と像面との間隔が大であり、広角端での画角が５５°以上で、変倍比が６以上であることを特徴とする請求項１６又は１７のズームレンズ。
【請求項２０】
前記第２群と第３群の間に明るさ絞りを配置したことを特徴とする請求項１、２、３、４、５、６、７、８、９、１０、１１、１２、１３、１４、１５、１６、１７、１８又は１９のズームレンズ。
【請求項２１】
変倍の際に明るさ絞りが第３群と間隔を固定したまま移動することを特徴とする請求項２０のズームレンズ。
【手続補正２】
【補正対象書類名】明細書
【補正対象項目名】００３３
【補正方法】変更
【補正の内容】
【００３３】
前述の第１の構成のレンズ系のように、第４群を少ない枚数にし望遠比の小さいレンズ系にするために最も望ましい第４群の構成が前記の第６の構成のズームレンズの第４群である。又このレンズ系は、第４群の最も像側のレンズとして負の単レンズを用いたことにより、色収差の補正とズームレンズと撮像面の間のスペースを確保する上で有効である。
【手続補正３】
【補正対象書類名】明細書
【補正対象項目名】００３８
【補正方法】変更
【補正の内容】
【００３８】
尚この第７の構成のズームレンズにおいて、光学性能を一層向上させるためには、前記第２群や第４群に接合レンズや非球面レンズを用いてもよい。例えば第２群の負レンズ、負レンズ、正レンズ、負レンズのうちのいずれかのレンズをまた第４群の前群の正レンズ、後群の正レンズ、負レンズのいずれかのレンズを接合レンズや非球面レンズに換えることにより光学性能の向上を図ることができる。
【手続補正４】
【補正対象書類名】明細書
【補正対象項目名】００４９
【補正方法】変更
【補正の内容】
【００４９】
また、広角端より望遠端への変倍の際に、第１群と第２群の間隔を広げ、第２群と第３群の間隔を狭め、第３群と第４群の間隔を狭めるように各群を移動させることにより、広角端での画角が５５°以上でかつ変倍比が５以上のレンズ系を構成し得る。
【手続補正５】
【補正対象書類名】明細書
【補正対象項目名】００５０
【補正方法】変更
【補正の内容】
【００５０】
また、広角端と望遠端との構成を比較した時、広角端に対し望遠端が第１群と第２群の間隔が大で第２群と第３群の間隔が小で第３群と第４群の間隔が小で第４群と像面との間が大になるようにすることにより、広角端の画角が５５°以上であってかつ変倍比が６以上であるズームレンズを構成し得る。
【手続補正６】
【補正対象書類名】明細書
【補正対象項目名】００７８
【補正方法】変更
【補正の内容】
【００７８】
このカメラに用いる撮影レンズ２に本発明のズームレンズが用いられる。
又、図１３は本発明のズームレンズを用いた一眼レフレックスカメラを示す。この図１３において、１０は一眼レフレックスカメラで、２は撮影レンズ、６はフィルム、１１は撮影レンズ２の光路３上でレンズ系２とフィルム６との間に配置されたクイックリターンミラー、１２はクイックリターンミラーより反射された光路に配置されたファインダースクリーン、１３はペンタプリズム、１４はファインダー、１５は観察者の眼（アイポイント）である。